(57)【特許請求の範囲】
【請求項１】
テレビ電話機能と音声電話機能とを備えた携帯端末装置であって、
音声電話機能による通話中において前記端末装置とユーザとの距離関係を検出する関係検出手段と、
前記関係検出手段によって前記距離関係の変化が検出されたときに該端末装置の状態を検出する状態検出手段と、
前記状態検出手段によって検出される状態に応じてテレビ電話機能か音声電話機能による拡声通話のいずれかに切り替える通話切り替え手段と、
を備えたことを特徴とする携帯端末装置。
【請求項２】
前記状態検出手段は前記端末装置の姿勢を検出する姿勢検出手段を含み、
前記通話切り替え手段は、前記姿勢検出手段によって前記端末装置の横置き状態が検出された場合に前記音声電話機能での拡声通話への切り替えを行い、横置き状態が検出されない場合は前記テレビ電話機能への切り替えを行うことを特徴とする請求項１に記載の携帯端末装置。
【請求項３】
２つの筐体と、これら筐体を開閉自在に接続する開閉構造部材と、前記開閉構造部材による筐体の開閉状態を検出する開閉検出手段を備え、
前記通話切り替え手段は、前記開閉検出手段による前記筐体の開閉状態の検出結果に応じて前記テレビ電話機能への切り替え、または前記音声電話機能での拡声通話への切り替えを行う、
ことを特徴とする請求項１に記載の携帯端末装置。
【請求項４】
前記開閉構造部材は前記２筐体をスライド可能とするスライド開閉構造部材からなり、
前記通話切り替え手段は、音声電話機能による通話中において前記開閉検出手段によって前記筐体の開状態が検出された場合に前記テレビ電話機能への切り替えを行ない、前記筐体の閉状態が検出された場合に前記音声電話機能での拡声通話への切り替えを行う、
ことを特徴とする請求項３に記載の携帯端末装置。
【請求項５】
前記開閉構造部材は前記２筐体を折り畳み可能とする折り畳み開閉構造部材からなり、
前記通話切り替え手段は、音声電話機能による通話中において前記開閉検出手段によって前記筐体の閉状態が検出された場合に前記テレビ電話機能を選択し、前記筐体の開状態が検出された場合に前記音声電話機能を選択する、
ことを特徴とする請求項３に記載の携帯端末装置。
【請求項６】
テレビ電話機能と音声電話機能とを備えた携帯端末装置のコンピュータに、
音声電話機能による通話中において前記端末装置とユーザとの距離関係を検出する機能と、
前記距離関係の変化が検出されたときに前記端末装置の状態を検出する機能と、
前記検出される状態に応じてテレビ電話機能か音声電話機能による拡声通話のいずれかに切り替える機能と、
を実行させるプログラム。
【発明の詳細な説明】
【技術分野】
【０００１】
本発明は、テレビ電話機能と音声電話機能を備えた携帯電話機等の携帯端末装置に関し、端末装置本体の状態に応じてテレビ電話機能か音声電話機能のいずれかを選択する携帯端末措置およびプログラムに関する。
【背景技術】
【０００２】
通話中のユーザによる使用状態の変化（顔付け状態であるか否か）を輝度の変化から検出してその結果によりテレビ電話機能による通話か音声電話機能による通話のいずれかに自動切り替えを行う技術がある（たとえば、下記特許文献１参照）。
【０００３】
また、電話会話中のユーザと装置本体との距離や入力音声レベルに基づいてテレビ電話機能による通話か音声電話機能による通話のいずれかに自動切り替えを行う技術がある（たとえば、下記特許文献２参照）。
【０００４】
【特許文献１】特開２００１−５４０８５号公報
【特許文献２】特開２００２−１１１８０１号公報
【発明の開示】
【発明が解決しようとする課題】
【０００５】
しかしながら、上記各特許文献に開示の技術では、テレビ電話か音声電話のいずれかですでに通話が行われていることを前提にして、その通話中におけるユーザの通話状態変化（顔付け状態であるか否か、装置本体との距離の変化、入力音声レベルの変化等）に基づいてテレビ電話機能による通話か音声電話機能による通話のいずれかに自動切り替えを行うようにした技術が開示されているに過ぎず、着信時における電話機能選択についてはなんら言及されていないという課題があった。
【０００６】
通常、携帯電話機では電話着信の報知があった場合は、先ずはユーザが通話ボタンを指で押すわけであり、この場合、ユーザと携帯電話機本体とは離れた状態にある。  
上記特許文献１に開示の技術を着信時に適用すると、ユーザと携帯電話機は離れた状態にあるので、先ずテレビ電話機能が必ず選択されてしまい、ユーザの意向に拘らずテレビ電話機能による拡声通話が始まってしまうといった問題点があった（音声通話を行おうとする場合は、そのあとユーザが携帯電話機に耳を近づけることで始めて音声電話機能への切り替えが行われる）。
【０００７】
また、従来のテレビ電話機能付きの携帯電話機では、音声電話機能で通話開始するためのボタンおよびテレビ機能で通話開始するためのボタン等を備えていて、テレビ電話着信があると先ずユーザ自身がテレビ電話機能で通話するのか音声電話として着信するのかを判断したうえで、ボタン操作を行う必要があるという課題があった。
【０００８】
また、通話中の電話切り替えについては、音声電話での通話中に携帯電話機を耳から話したからといってユーザが必ずしもテレビ電話機能を所望しているとは限らず、ハンズフリーで音声電話の通話を継続したい場合（携帯電話機をテーブルの上において通話するような場合）等もありえる。  
上記特許文献２に開示の技術では、携帯電話機とユーザの距離が離れると無条件にテレビ電話機能に切り替わってしまい、ハンズフリーで音声電話の通話を継続したい場合にはわざわざ再度の音声電話機能への切り替え操作が必要になるといった課題があった。
【０００９】
本発明は、上記課題を解決するためになされたものであり、テレビ機能電話機能と音声電話機能を備えた携帯端末装置であって、その端末装置の状態に応じてテレビ電話機能か音声電話機能のいずれかを自動選択する携帯端末措置およびプログラムの提供を目的とする。
【課題を解決するための手段】
【００１８】
上記目的達成のため、請求項１記載の発明では、テレビ電話機能と音声電話機能とを備えた携帯端末装置であって、音声電話機能による通話中において端末装置とユーザとの距離関係を検出する関係検出手段と、関係検出手段によって距離関係の変化が検出されたときに該端末装置の状態を検出する状態検出手段と、状態検出手段によって検出される状態に応じてテレビ電話機能か音声電話機能による拡声通話のいずれかに切り替える通話切り替え手段と、を備えたことを特徴とする携帯端末装置を提供する。
【００２４】
上記目的達成のため、請求項６記載の発明では、テレビ電話機能と音声電話機能とを備えた携帯端末装置のコンピュータに、音声電話機能による通話中において端末装置とユーザとの距離関係を検出する機能と、距離関係の変化が検出されたときに端末装置の状態を検出する機能と、検出される状態に応じてテレビ電話機能か音声電話機能による拡声通話のいずれかに切り替える機能と、を実行させるプログラムを提供する。
【発明の効果】
【００２５】
本発明によれば、音声通話時に携帯端末装置から耳を離すと、そのあとの該端末装置の状態に応じてテレビ電話機能への切り替えか、或いは音声電話での拡声通話への切り替えかを自動的に選択するようにしたので、ボタン選択操作等なしにユーザの所望する状態での通話に直ちに切り替えることができる。
【発明を実施するための最良の形態】
【００２６】
＜実施形態１＞  
図１は、本発明の実施の形態を適用可能な携帯端末装置の一実施例の外観を示す図であり、テレビ電話機能と音声電話機能を備えた携帯電話機（以下、携帯電話機１）に適用した例である。  
図１において、携帯電話機１はアンテナ４、スピーカ５、表示部６、キー操作部７、マイク８、カメラ部１６、音量センサ１８、および光センサ１９を備えている。
【００２７】
アンテナ４は、携帯電話機１の本体の頭部に設けられており伸縮自在である。スピーカ５は、前面上部に設けられており、音声出力（拡声モードあり）を行う。表示部６はカラー液晶表示画面からなる表示部であり画面を照明するバックライト（図示せず）を含んでおり、テレビ電話受信機能に切り替えられると、送信された画像（動画および静止画）を表示する。キー操作部７は本体部３の前面のほぼ中央に設けられており、通話ボタン２１、電源ボタン２２、等の各種機能キーや、テンキーやカーソルキー等からなる。なお、側部にサイド通話ボタン２３を設けるようにしてもよい（説明上、サイド通話ボタン２３はキー操作部７の各キーとは配置位置は異なるがキー操作部７に含まれるものとする）。マイク８は本体部３の下部に設けられており、音声入力を行う。
【００２８】
また、図示しないバッテリーパックが携帯電話機１の本体の裏面に着脱可能に設けられており、ロック機構（図示せず）により固定されている。ロック機構は、電池を収容したバッテリーパックを本体に固定するためのものである。また、着信などを報知する報知スピーカ（図示せず）が裏面に配置されている。
【００２９】
図２は本実施形態に係わる携帯電話機の内部構成を示すブロック図である。  
スピーカ５は音声出力手段として機能するものであり、図示しないＡ／Ｄ変換部によって通信制御部１２から送られたデジタル音声信号を基に外部に音声出力するが、この際、携帯電話機１の状態に応じて通常モード若しくは拡声モードで音声を出力する。また、キー操作時にはＣＰＵ１１の制御下で操作案内等を行なうガイド音声を出力することもできる。スピーカ５は拡声モードにおいて音声電話機能での通話時にスピーカ音量を大にし、拡声モードでない場合（通常モードと記す）はスピーカ音量を小さくする。拡声モードまたは通常モードへの切り替えは携帯電話１の状態に応じて自動的に行われる。また、テレビ電話機能ではスピーカ５は拡声モードに自動的に切り替えられる。まり、テレビ電話機能が選択されると拡声通話が行われる。
【００３０】
表示部６は、テレビ電話機能での通話時には受信したテレビ画像（動画または静止画）の表示部として機能するものであり、テレビ電話機能での通話時にはバックライトをオンにすると共に通信制御部１２で受信した画像データをリアルタイムに液晶表示画面に表示する。また、キー操作時にはＣＰＵ１１の制御下で操作案内等を行なうガイドメッセージ等を表示することもできる。
【００３１】
キー操作部７は前述したように通話ボタン２１、電源ボタン２２、サイド通話ボタン２３等の各種機能キーや、テンキーやカーソルキー等を備え、キーが操作されるとそのキーに対応する信号が生成されてＣＰＵ１１に送られる。
【００３２】
キー操作部７において、通話ボタン２１およびサイド通話ボタン２３は着信時の通話開始ボタンおよび発信時の発信ボタンとして機能するキーであり、テレビ電話の着信時に通話ボタン２１（またはサイド通話ボタン２３）を押すと表示部６に画像が表示されると共に携帯電話機１の状態が検出され、その状態に応じてテレビ電話機能による通話（拡声通話）か音声電話機能による通話かのいずれかが自動選択される。また、音声電話の着信時に通話ボタン２１（またはサイド通話ボタン２３）を押すと携帯電話機１の状態が検出され、その状態に応じて音声電話機能による通話かテレビ電話機能による通話（拡声通話）かのいずれかが自動選択される。また、送信時には、電話番号を入力（テンキーによる電話番号入力または登録先の選択による自動入力）した後、通話ボタン２１（またはサイド通話ボタン２３）を押すと携帯電話機１の状態が検出され、その状態に応じてテレビ電話機能による通話（撮像および画像送信と通話（拡声通話））か音声電話機能による通話かのいずれかが自動選択される。  
【００３３】
キー操作部７において、電源ボタン２２は電源オン／オフ機能および終話機能を兼ねたキーであり、電源ボタン２２を所定時間（例えば３秒）以上押した場合（以下、長押し操作）と携帯電話機１の電源がオン若しくはオフされる。また、押されている時間が所定時間未満（以下、短押し操作）の場合は通話終了（テレビ電話機能の場合は通話終了および画像送受信停止、画面クリア、画面ランプ消灯）となる。
【００３４】
マイク８は、通話モード時に入力される音声を音声信号に変換する。変換された音声信号は図示しないＡ／Ｄ変換部でデジタル信号に変換され、通信制御部１２に送出される。また、マイク８はＣＰＵ１１の制御下で音声電話機能での通話時にマイク感度を大にする拡声モードを備えており、通常モードではマイク感度を小さくする。拡声モードまたは通常モードへの切り替えは携帯電話機１の状態に応じて自動的に行われる。また、テレビ電話機能では拡声モードに自動的に切り替えられる。つまり、テレビ電話機能が選択されると拡声通話が行われる。
【００３５】
記憶部９は、ＨＤＤやメモリカード等の記録メディアへのデータの書き込みや読み出しを行う機能を有する機構であり、携帯電話機１に使用可能な記録メディアの種類（記録メディア１０として、実施例ではＨＤＤ若しくは着脱可能なメモリカード））に応じてそれぞれ設けられている。
【００３６】
記録メディア１０は記憶部９に格納され、且つアクセス可能な大容量記録媒体であり、ＨＤＤやメモリカードを用いることができるがこれらに限定されない。
【００３７】
ＣＰＵ（若しくはＭＰＵ（以下、ＣＰＵ））１１は、この携帯電話機１全体の制御動作を司るものであり、プログラム格納メモリ１４に格納された所定の動作プログラムを実行することにより、携帯電話機１の状態によるテレビ電話機能若しくは音声電話機能による通話の自動選択制御のほか、装置本体部の各種動作を制御する。
【００３８】
通信制御部１２は、携帯電話機１に係わる画像信号および音声信号の授受を司るものであり、所定の通信プロトコルに従った通信制御処理を行う。  通信制御部１２は無線によりアンテナ４を介して画像信号や音声信号を受信して復調し、一時記憶メモリ１５に記憶する。復調された画像信号および音声信号はＣＰＵ１１の制御により所定のタイミングで一時記憶メモリ１５から取り出され、表示部６およびスピーカ８に送られる。また、カメラ部１７による撮影画像は画像信号処理部１５および一時記憶メモリ１５を介して通信制御部１２に送られ、マイク５からの入力音声はデジタル信号化されたあと通信制御部１２に送られる。通信制御部１２は撮影画像信号および入力音声信号を変調してから無線によりアンテナ４を介して通話先の携帯電話機の識別コードを付して送信する。
【００３９】
姿勢検出部１３は、例えば、ジャイロ等の方向検出回路からなり、携帯電話機１がハンズフリーによる通話時のようにテーブル等の上に横置き（前面を上にしておおむね水平に置かれている状態）されているか通常モードの通話時のように縦（上下におおむね垂直な状態）かといった携帯電話機１の姿勢を検出して検出結果をＣＰＵ１１に送る。
【００４０】
プログラム格納メモリ１４はＲＯＭ等の不揮発性メモリからなり、ＣＰＵ１１を制御する各種プログラムなどを記憶する。一時記憶メモリ１５はＲＡＭ等の揮発性メモリからなり携帯電話機１のテレビ電話機能および通話電話機能に必要な各種データやＣＰＵ１１が動作する上で必要なデータを記憶する。
【００４１】
カメラ部１６は光学系レンズからなる撮像レンズおよびＣＣＤ等の撮像素子およびＡ／Ｄ変換器等からなり、撮像レンズを介してＣＣＤ上に集光した光学像をデジタル信号（画像信号）に変換して画像信号処理部１７に渡す。画像信号処理部１７はカメラ部１６から得られた画像信号に関する処理を行い、撮影画像信号を一時記憶メモリ１５を介して通信制御部１５に送る。
【００４２】
音量センサ１８は入力音声の音量を検知するためのもので、スピーカ８の近傍に設置されている。音量センサを用いてスピーカ８への入力音声の音量を検知し、その音量の度合い（レベル）に応じて検出信号をＣＰＵ１１に送る。これにより、携帯電話機１とユーザとの距離関係を知ることができる。例えば、ユーザが音声電話機能による通常通話を行う場合には携帯電話機１とユーザ（の口）との距離は極近い関係（音量レベルは大）にあり、携帯電話機１とユーザ（の口）との距離が離れていると音量レベルは低下するのでＣＰＵ１１は入力音量レベルから携帯電話機１とユーザとの距離関係を判定することができる。
【００４３】
光センサ１９は周囲の明るさ（受光量）を検知するためのもので、マイク５の近傍に設置されている。光センサを用いてマイク５の周囲の明るさを検知し、その周囲の明るさの度合い（レベル）に応じて検出信号をＣＰＵ１１に送る。これにより、携帯電話機１とユーザとの距離関係を知ることができる。例えば、ユーザが音声電話機能による通常通話を行う場合には携帯電話機１とユーザ（の耳）との距離は極近い関係（明るさのレベルは小）にあり、拡声機能を用いて通話する場合は携帯電話機１とユーザ（の耳）との距離は離れた関係（明るさのレベルは大）であることがわかる。
【００４４】
図３は実施形態１に係わる携帯電話機の動作概要を示すフローチャートであり、このフローチャートは携帯電話機１のコンピュータに、テレビ電話着信時または発信時に携帯電話機１の状態に応じてテレビ電話機能か音声電話機能の自動選択制御を含む動作を実現させるためのプログラムを説明するためのものである。  
以下に示す処理は基本的にＣＰＵ１１が予めプログラム格納メモリ１４に記憶されたプログラムに従って実行する例で説明するが、全ての機能をプログラム格納メモリ１４に格納する必要はなく、必要に応じて、その一部若しくは全部をネットワークを介して受信して実現するようにしてもよい。以下、図１〜図３に基づいて説明する。
【００４５】
ユーザが電源ボタン２２を長押操作して携帯電話機１の主電源をオンにすると、ＣＰＵ１１は制御プログラムのローディングや初期値の設定等を行う（ステップＳ０）。
【００４６】
次に、ＣＰＵ１１は通信制御部１２からの信号を調べ、テレビ電話着信信号（呼び出し信号）を受信した場合はステップＳ２に進み、着信信号を受信しない場合はステップＳ３に進む（ステップＳ１）。
【００４７】
上記ステップＳ１でテレビ電話着信信号を受信した場合は、ＣＰＵ１１はキー操作部７からの信号を調べ、通話ボタン２１またはサイド通話ボタン２３が押された場合にはステップＳ５に進む（ステップＳ２）。
【００４８】
上記ステップＳ１でテレビ電話着信信号を受信しない場合は、ＣＰＵ１１はキー操作部７からの信号を調べ、電話番号入力（テンキー入力または通話先選択入力）があった場合はステップＳ４に進み、そうでない場合はステップＳ１に戻る（ステップＳ３）。
【００４９】
上記ステップＳ３で電話番号入力があった場合は、ＣＰＵ１１はキー操作部７からの信号を調べ、発信ボタン（実施例では発信ボタン＝通話ボタン２１または２３）が押された場合はステップＳ５に進み、所定時間（例えば、５秒）を経過しても発信ボタンが押されない場合はステップＳ１に戻る（ステップＳ４）。
【００５０】
ＣＰＵ１１は姿勢検出部１３からの姿勢検出信号を調べ、携帯電話機１が横置きの場合はステップＳ６に進み、そうでない場合はステップＳ１０に進む（ステップＳ５）。
【００５１】
上記ステップＳ５で携帯電話機１が横置きの場合は、ＣＰＵ１１は音声電話機能を選択し（ステップＳ６）、カメラ部１６、表示部６、およびバックライトをオフにして（ステップＳ７）、音声電話機能による通話を開始し（ステップＳ８）、終話操作（電源ボタン２２の短押し操作）がなされるとステップＳ１に戻る（ステップＳ９）。
【００５２】
上記ステップＳ５で携帯電話機１が横置きでない場合は、ＣＰＵ１１はテレビ電話機能を選択し（ステップＳ１０）、カメラ部１６、表示部６、およびバックライトをオンにして着信画像の表示および撮影画像の送信を開始すると共に（ステップＳ１１）、スピーカ５を制御して拡声通話を開始し（ステップＳ１２）、終話操作（電源ボタン２２の短押し操作）がなされるとステップＳ１に戻る（ステップＳ１３）。
【００５３】
上記図３のフローチャートに示した動作により、テレビ電話着信或いは発信時に携帯電話機１の状態（横置きか否か）に応じてテレビ電話機能での通話開始を行うのか音声電話機能での通話開始を行うのかを自動的に選択するようにしたので、電話機能を選択するためのボタン選択操作等が不要となり、着信後或いは発信後に直ちに最適な電話機能による通話を行うことができる。これにより、携帯電話機１が横置きされている場合はハンズフリー通話等のために（テーブル等の上に）置かれているものとして音声電話機能が自動的に選択されるのでユーザはハンズフリー等による音声通話を開始できる。
【００５４】
＜実施形態２＞  
図４は、本発明の実施の形態を適用可能な携帯端末装置の一実施例の外観を示す図であり、テレビ電話機能と音声電話機能を備えたスライド式携帯電話機（以下、携帯電話機５０）に適用した例である。携帯電話機５０は、アンテナ４、スピーカ５、表示部６、キー操作部７、マイク８、カメラ部１６、音量センサ１８、および光センサ１９を備えている。
図４において、携帯電話機５０は大きくわけて２つの筐体、つまり、スライド部２と本体部３から構成されている。スライド部２は本体部３上で本体部３の長手方向に沿ってスライド可能に構成されている。  アンテナ４はスライド部２の上部に設けられており伸縮自在となっている。スピーカ５はスライド部２の前面上側に設けられており、音声出力を行う。また、スピーカ５の近傍には音量センサ１８が設けられている。更に、スライド部２の前面上側にはカメラ部１６が設けられている。表示部６はスライド部２の前面に設けられたカラー液晶表示画面を含む。キー入力部７−１はスライド部２に設けられたカラー液晶表示画面の下に設けられており、電源ボタン２２や通話ボタン２１等の各種機能キーやカーソルキー等からなる。  
また、スライド部２の背面には本体部３に設けられたスライド機構と嵌合してスライド部２を上下にスライド可能とするスライド部材（図示せず）が設けられている。スライド部２の下部若しくは上部に一定以上の力を加えるとスライド部２は上方若しくは下方にスライドする。
【００５５】
また、本体部３の前面にはキー入力部７−２が設けられており、各種機能ボタンやテンキーを含んでいる。更に、マイク８が本体部３に設けられた入力部７−２の下部に設けられており、音声入力を行う。また、マイク８の近傍には光センサ１９が設けられ、本体部３の前面上部にはスライド部２に設けられたスライド部材と嵌合してスライド部２を上下にスライド可能とするスライド機構（図示せず）が設けられている。
【００５６】
更に、図示しないバッテリーパックが本体部３の裏面に着脱可能に設けられており、ロック機構（図示せず）により固定されている。ロック機構は、電池を収容したバッテリーパックを本体に固定するためのものである。また、着信などを報知する報知スピーカ（図示せず）が裏面に配置されている。
【００５７】
携帯電話機５０は、通常はスライド部２の大部分が本体部３の上に重なった状態（以下、「閉」状態）であるが、電話機能での通話を行う際にはユーザはスライド部２の底部を指で押し上げて上方にスライドさせるか、スライド部３の両側を持って上方にスライドさせて使用する（以下、スライド部を上方にスライドさせた状態を「開」状態とする）。また、テレビ電話機能での通話を行う際は「閉」状態で拡声通話を行う。
【００５８】
図５は、実施形態２に係わる携帯電話機の内部構成を示すブロック図であり、スピーカ５〜光センサ１９までの構成と機能は図２（実施形態１参照）と同様であり、図２のブロック図に、携帯電話機５０のスライド部２がスライド操作されたか否かを検出するスライド検出部３０を付加した構成をなす。  
スライド検出部３０は本体部３のスライド機構に設けられており、スライド部２が「開」状態か否かを検出し、検出結果をＣＰＵ１１に送出する。スライド検出部３０は、例えば、スライド部２が「開」状態になるとオンとなり、「閉」状態になるとオフになるスイッチ部材で構成することができる。
【００５９】
図６は、実施形態２に係わる携帯電話機の動作概要を示すフローチャートであり、このフローチャートは携帯電話機５０のコンピュータに、テレビ電話着信時または発信時に携帯電話機５０の状態に応じてテレビ電話機能か音声電話機能の自動選択制御を含む動作を実現させるためのプログラムを説明するためのものである。  
以下に示す処理は基本的にＣＰＵ１１が予めプログラム格納メモリ１４に記憶されたプログラムに従って実行する例で説明するが、全ての機能をプログラム格納メモリ１４に格納する必要はなく、必要に応じて、その一部若しくは全部をネットワークを介して受信して実現するようにしてもよい。以下、図４〜図６に基いて説明する。
【００６０】
ユーザが電源ボタン２２を長押し操作して携帯電話機５０の主電源をオンとすると、ＣＰＵ１１は制御プログラムのローディングや初期値の設定等を行う（ステップＴ０）。
【００６１】
次に、ＣＰＵ１１は通信制御部１２からの信号を調べ、テレビ電話着信信号（呼び出し信号）を受信した場合はステップＴ２に進み、着信信号を受信しない場合はステップＴ３に進む（ステップＴ１）。
【００６２】
上記ステップＴ１でテレビ電話着信信号を受信した場合は、ＣＰＵ１１はキー操作部７からの信号を調べ、通話ボタン２１が押された場合にはステップＴ５に進む（ステップＴ２）。
【００６３】
上記ステップＴ１でテレビ電話着信信号を受信しない場合は、ＣＰＵ１１はキー操作部７からの信号を調べ、電話番号入力（テンキー入力または通話先選択入力）があった場合はステップＴ４に進み、そうでない場合はステップＴ１に戻る（ステップＴ３）。
【００６４】
上記ステップＴ３で電話番号入力があった場合は、ＣＰＵ１１はキー操作部７からの信号を調べ、発信ボタン（実施例では発信ボタン＝通話ボタン２１）が押された場合はステップＴ５に進み、所定時間（例えば、５秒）を経過しても発信ボタンが押されない場合はステップＴ１に戻る（ステップＴ４）。
【００６５】
ＣＰＵ１１はスライド検出部３０からの検出信号を調べ携帯電話機５０のスライド部２が「開」状態か「閉」状態かを調べ、スライド部２が「開」状態の場合はステップＴ６に進み、そうでない場合はステップＴ１０に進む（ステップＴ５）。
【００６６】
上記ステップＴ５で携帯電話機５０が「開」状態の場合は、ＣＰＵ１１は音声電話機能を選択し（ステップＴ６）、カメラ部１６、表示部６、およびバックライトをオフにして（ステップＴ７）、音声電話機能による通話を開始し（ステップＴ８）、終話操作（電源ボタン２２の短押し操作）がなされるとステップＴ１に戻る（ステップＴ９）。
【００６７】
上記ステップＴ５で携帯電話機５０が「開」状態でない場合は、ＣＰＵ１１はテレビ電話機能を選択し（ステップＴ１０）、カメラ部１６、表示部６、およびバックライトをオンにして着信画像の表示および撮影画像の送信を開始すると共に（ステップＴ１１）、スピーカ５を制御して拡声通話を開始し（ステップＴ１２）、終話操作（電源ボタン２２の短押し操作）がなされるとステップＴ１に戻る（ステップＴ１３）。
【００６８】
上記図６のフローチャートに示した動作により、テレビ電話着信或いは発信時に携帯電話機５０の状態（スライド部がスライド操作により「開」状態になっているか否か）に応じて音声電話機能での通話開始を行うのかテレビ電話機能での通話開始を行うのかを自動的に選択するようにしたので、電話機能を選択するためのボタン選択操作等が不要となり、着信後或いは発信後に直ちに最適な電話機能による通話を行うことができる。
【００６９】
＜実施形態３＞  
図７は、本発明の実施の形態を適用可能な携帯端末装置の一実施例の外観を示す図であり、テレビ電話機能と音声電話機能を備えた折り畳み式携帯電話機（以下、携帯電話機６０）に適用した例である。    
図１（ａ）は携帯電話（開状態）の外観を示す正面図である。  図１において、携帯電話機６０は大きくわけて２つの筐体、蓋部２と本体部３から構成されており、アンテナ４、スピーカ５、表示部６、キー操作部７、マイク８、カメラ部１６、音量センサ１８、光センサ１９、および蓋部２と本体部３を電気的に接続可能に開閉する開閉機構３５を構成する部材（図示せず）を備えている。
【００７０】
蓋部２は本体部３側に折り込み可能に構成されている。アンテナ４は蓋部２の背面に設けられており、伸縮自在となっている。スピーカ５は、蓋部２の前面上部に設けられており、音声出力を行う。また、音量センサ１８がマイク５の近傍に設けられている。表示部（メイン表示部）６はカラー液晶表示画面を備えている。なお、蓋部２の側部にサイド通話ボタン２３が設けられている（説明上、サイド通話ボタン２３は後述するキー操作部７の各キーとは配置位置は異なるがキー操作部７に含まれるものとする）。
【００７１】
本体部３の前面にはキー入力部７が設けられており、電源ボタン２２や通話ボタン２１等の各種機能キーやテンキーおよびカーソルキー等からなる。また、マイク８が本体部３に設けられた入力部７の下部に設けられており、音声入力を行う。更に、光センサ１９がスピーカ８の近傍に設けられ、図示しないバッテリーパックが本体部３の裏面に着脱可能に設けられている。更に、ロック機構（図示せず）により固定されている。ロック機構は、電池を収容したバッテリーパックを本体に固定するためのものである。また、着信などを報知する報知スピーカ（図示せず）が裏面に配置されている。
【００７２】
図８は、実施形態３に係わる携帯電話機の内部構成を示すブロック図であり、スピーカ５〜光センサ１９までの構成と機能は図２（実施形態１参照）と同様であり、図２のブロック図に、携帯電話機６０の蓋部２が本体部３上に閉じられた状態（以下、「閉」状態）か開かれた状態（以下、「開」状態）かを検出する開閉検出部３１を付加した構成をなす。  
開閉検出部３１は開閉機構若しくはその近傍に設けられており、蓋部２が「開」状態か否かを検出し、検出結果をＣＰＵ１１に送出する。開閉検出部３１は、例えば、蓋部２が開くとオンとなり、閉じるとオフになるスイッチ部材で構成することができる。
【００７３】
図９は、実施形態３に係わる携帯電話機の動作概要を示すフローチャートであり、このフローチャートは携帯電話機６０のコンピュータに、テレビ電話着信時にまたは発信時に携帯電話機６０の状態に応じてテレビ電話機能か音声電話機能の自動選択制御を含む動作を実現させるためのプログラムを説明するためのものである。  
以下に示す処理は基本的にＣＰＵ１１が予めプログラム格納メモリ１４に記憶されたプログラムに従って実行する例で説明するが、全ての機能をプログラム格納メモリ１４に格納する必要はなく、必要に応じて、その一部若しくは全部をネットワークを介して受信して実現するようにしてもよい。以下、図７〜図９に基いて説明する。
【００７４】
ユーザが電源ボタン２２を長押し操作して携帯電話機６０の主電源をオンとすると、ＣＰＵ１１は制御プログラムのローディングや初期値の設定等を行う（ステップＵ０）。
【００７５】
次に、ＣＰＵ１１は通信制御部１２からの信号を調べ、テレビ電話着信信号（呼び出し信号）を受信した場合はステップＵ４に進み、着信信号を受信しない場合はステップＵ２に進む（ステップＵ１）。
【００７６】
上記ステップＵ１でテレビ電話着信信号を受信しない場合は、ＣＰＵ１１はキー操作部７からの信号を調べ、電話番号入力（テンキー入力または通話先選択入力）があった場合はステップＵ３に進み、そうでない場合はステップＵ１に戻る（ステップＵ２）。
【００７７】
上記ステップＵ２で電話番号入力があった場合は、ＣＰＵ１１はキー操作部７からの信号を調べ、発信ボタン（実施例では発信ボタン＝通話ボタン２１）が押された場合はステップＵ４に進み、所定時間（例えば、５秒）を経過しても発信ボタンが押されない場合はステップＵ１に戻る（ステップＵ３）。
【００７８】
ＣＰＵ１１は開閉検出部３１からの検出信号を調べ、携帯電話機６０の蓋部２が「開」状態か否かを調べ、蓋部２が「開」状態の場合はステップＵ５に進み、そうでない場合はステップＵ１０に進む（ステップＵ４）。
【００７９】
蓋部２が「開」状態の場合は、ＣＰＵ１１はキー操作部７からの信号を調べ、通話ボタン２１が押された場合にはステップＵ６に進み、そうでない場合は通話ボタン２１が押されるまで持つ（ステップＵ５）。
【００８０】
通話ボタン２１が押されると、ＣＰＵ１１はテレビ電話機能を選択し（ステップＵ６）、カメラ部１６、表示部６、およびバックライトをオンにして着信画像の表示および撮影画像の送信を開始すると共に（ステップＵ７）、スピーカ５を制御して拡声通話を開始し（ステップＵ８）、終話操作（電源ボタン２２の短押し操作）がなされるとステップＵ１に戻る（ステップＵ９）。
【００８１】
上記ステップＵ４で蓋部２が「開」状態でない場合は、ＣＰＵ１１は更に開閉検出部３１からの検出信号を調べ、携帯電話機６０の蓋部２が「開」状態になったか否かを調べ、蓋部２が「開」状態の場合は状態変化があったものとしてテレビ電話機能を選択するためにステップＵ６に進み、そうでない場合（状態変化がない場合）はステップＵ１１に進む（ステップＵ１０）。
【００８２】
ステップＵ１０で状態変化がなかった場合は、ＣＰＵ１１はキー操作部７からの信号を調べ、サイド通話ボタン２３が押された場合はステップＵ１２に進み、そうでない場合はステップＵ１０に戻って、蓋部２が開かれるかサイド通話ボタン２３が押されるまで待つ（ステップＵ１１）。
【００８３】
上記ステップＵ１１でサイド通話ボタン２３が押された場合は、ＣＰＵ１１は音声電話機能を選択し（ステップＵ１２）、カメラ部１６、表示部６、およびバックライトをオフにして（ステップＵ１３）、音声電話機能による通話を開始し（ステップＵ１４）、終話操作（電源ボタン２２の短押し操作）がなされるとステップＵ１に戻る（ステップＵ１５）。
【００８４】
上記図９のフローチャートに示した動作により、テレビ電話着信或いは発信時に携帯電話機６０の蓋部２が「開」状態になっている場合はテレビ電話機能での通話開始を行い、蓋部２が「閉」状態のときにサイド通話ボタン２３が押されると音声電話機能での通話開始を行うようにしたので、電話機能を選択するためのボタン選択操作等が不要となり、着信後或いは発信後に直ちに最適な電話機能による通話を行うことができる。
【００８５】
＜実施形態４＞  
上記実施形態１〜３では携帯電話機自体の構造を基にした状態変化によりテレビ電話機能による通話か音声電話機能による通話かを自動選択する例について述べたが、本発明は携帯電話機自体の構造を基にした状態変化だけでなく、携帯電話機と他の機器（外部装置）との係りの有無を携帯電話機の状態変化としてテレビ電話機能による通話か音声電話機能による通話かを自動選択することもできる。
【００８６】
以下の説明で、本実施形態に係わる携帯電話機（以下、携帯電話機７０）は図１に示した携帯電話機１、図４に示した携帯電話機５０、または携帯電話機６０のいずれかとし、本体底部にクレードル接続部を備え、図１０に示すような内部構成を備えているものとし、携帯電話機７０が図示しないクレードル装置（以下、クレードル）に接続された状態のときにはテレビ電話機能による通話が自動的に選択され、接続されていないときは音声電話機能による通話が選択されるものとする。なお、接続される外部機器はクレードルに限定されない。
【００８７】
図１０は、実施形態４に係わる携帯電話機７０の内部構成を示すブロック図であり、スピーカ５〜光センサ１９までの構成と機能は図２、図６、または図８に示した携帯電話機１、携帯電話機５０、または携帯電話機６０と同様であり、図２、図６、または図８に示したブロック図に携帯電話機７０がクレードルに装着されたか否かを検出する接続検出部３２を付加した構成をなす。  
接続検出部３２は携帯電話機７０の本体底部に設けられているクレードル接続部に設けられており、携帯電話機７０のクレードルへの着脱を検出し、検出結果をＣＰＵ１１に送出する。接続検出部３２は、例えば、携帯電話機７０がクレードルの携帯電話機装着部に装着されるとオンとなり、携帯電話機７０がクレードルの携帯電話機装着部から取り外されるとオフになるスイッチ部材で構成することができる。
【００８８】
図１１は、実施形態４に係わる携帯電話機の動作概要を示すフローチャートである。このフローチャートは携帯電話機７０のコンピュータに、テレビ電話着信時または発信時に携帯電話機７０の状態に応じてテレビ電話機能か音声電話機能の自動選択制御を含む動作を実現させるためのプログラムを説明するためのものである。  
以下に示す処理は基本的にＣＰＵ１１が予めプログラム格納メモリ１４に記憶されたプログラムに従って実行する例で説明するが、全ての機能をプログラム格納メモリ１４に格納する必要はなく、必要に応じて、その一部若しくは全部をネットワークを介して受信して実現するようにしてもよい。以下、図１０および図１１に基いて説明する。
【００８９】
ユーザが電源ボタン２２を長押し操作して携帯電話機６０の主電源をオンとすると、ＣＰＵ１１は制御プログラムのローディングや初期値の設定等を行う（ステップＶ０）。
【００９０】
次に、ＣＰＵ１１は通信制御部１２からの信号を調べ、テレビ電話着信信号（呼び出し信号）を受信した場合はステップＶ４に進み、着信信号を受信しない場合はステップＶ２に進む（ステップＶ１）。
【００９１】
上記ステップＶ１でテレビ電話着信信号を受信しない場合は、ＣＰＵ１１はキー操作部７からの信号を調べ、電話番号入力（テンキー入力または通話先選択入力）があった場合はステップＶ３に進み、そうでない場合はステップＶ１に戻る（ステップＶ２）。
【００９２】
上記ステップＶ２で電話番号入力があった場合は、ＣＰＵ１１はキー操作部７からの信号を調べ、発信ボタン（実施例では発信ボタン＝通話ボタン２１）が押された場合はステップＶ４に進み、所定時間（例えば、５秒）を経過しても発信ボタンが押されない場合はステップＶ１に戻る（ステップＶ３）。
【００９３】
テレビ電話着信の場合は、ＣＰＵ１１はキー操作部７からの信号を調べ、通話ボタン２１が押された場合にはステップＶ５に進み、そうでない場合はステップＶ１０に進む（ステップＶ４）。
【００９４】
通話ボタン２１が押されると、ＣＰＵ１１は接続検出部３２からの検出信号をもとに携帯電話機７０がクレードルに装着されているか否かを調べ、装着されている場合はステップＶ６に進み、そうでない場合はステップＶ１１に進む（ステップＶ５）。
【００９５】
携帯電話機７０がクレードルに装着されている場合は、ＣＰＵ１１はテレビ電話機能を選択し（ステップＶ６）、カメラ部１６、表示部６、およびバックライトをオンにして着信画像の表示および撮影画像の送信を開始すると共に（ステップＶ７）、スピーカ５を制御して拡声通話を開始し（ステップＶ８）、終話操作（電源ボタン２２の短押し操作）がなされるとステップＶ１に戻る（ステップＶ９）。
【００９６】
上記ステップＶ４で通話ボタン２１が押されなかった場合は、ＣＰＵ１１は更に接続検出部３２からの検出信号をもとに携帯電話機７０がクレードルに装着されているか否かを調べ、装着されていない場合（つまり、携帯電話機７０がクレードルから取り外された場合）は状態変化があったものとしてステップＶ１１に進み、そうでない場合（状態変化がない場合）はステップＶ４に戻る（ステップＶ１０）。
【００９７】
上記テップＶ１０で携帯電話機７０とクレードルが非接続状態になった場合は、ＣＰＵ１１は音声電話機能を選択し（ステップＶ１１）、カメラ部１６、表示部６、およびバックライトをオフにして（ステップＶ１２）、音声電話機能による通話を開始し（ステップＶ１３）、終話操作（電源ボタン２２の短押し操作）がなされるとステップＶ１に戻る（ステップＶ１４）。
【００９８】
上記図１１のフローチャートに示した動作により、テレビ電話着信或いは発信時に携帯電話機７０がクレードルに装着されている場合はテレビ電話機能での通話開始を行い、装着されていない場合は音声電話機能での通話開始を行うようにしたので電話機能を選択するためのボタン選択操作等が不要となり、携帯電話機７０の状態（外部機器との係りの有無）に応じて着信後或いは発信後に直ちに最適な電話機能による通話を行うことができる。
【００９９】
上記実施形態４の説明では携帯電話機７０のクレードルへの装着状態の変化を携帯電話機７０の状態の変化として検出するようにしたが、携帯電話機と他の機器（外部装置）との接続の有無を携帯電話機の状態変化としてテレビ電話機能による通話か音声電話機能による通話かを自動選択するようにしてもよい。また、外部装置との接続方法はたとえばケーブルによる接続を例とすることができるがケーブル接続に限定されない。
【０１００】
＜実施形態５＞  
上記実施形態１〜４ではテレビ電話着信時および発信時における携帯電話機の状態に基づいてテレビ電話機能による通話か音声電話機能による通話かを自動選択する例について述べたが、本発明の「携帯電話機の状態」によるテレビ電話機能による通話か音声電話機能による通話の自動選択方法はテレビ電話着信時および発信時だけでなく、音声通話時にも適用できる。  
以下、上記実施形態１で例とした携帯電話機１（図１、図２参照）を例として説明するが、本実施形態は上記実施形態２〜４で例とした各携帯電話機（携帯電話機５０（図４、図５）、携帯電話機６０（図７、図８）、携帯電話機７０（図１０））にも携帯電話機１と同様に適用できる。
【０１０１】
図１２は、実施形態５に係わる携帯電話機の動作概要を示すフローチャートであり、このフローチャートは携帯電話機１のコンピュータに、音声電話機能による通話開始時に携帯電話機１の状態に応じてテレビ電話機能か音声電話機能の自動選択制御を含む動作を実現させるためのプログラムを説明するためのものである。  
以下に示す処理は基本的にＣＰＵ１１が予めプログラム格納メモリ１４に記憶されたプログラムに従って実行する例で説明するが、全ての機能をプログラム格納メモリ１４に格納する必要はなく、必要に応じて、その一部若しくは全部をネットワークを介して受信して実現するようにしてもよい。以下、図１、図２および図１２に基いて説明する。
【０１０２】
音声通話時に、ＣＰＵ１１は通話モードが拡声モードか否かを調べ、拡声モードの場合にはステップＷ１１に進み、そうでない場合はステップＷ２に進む（ステップＷ１）。
【０１０３】
通話モードが拡声モードでない場合は、ＣＰＵ１１はスピーカ８の音量を小さくし、マイクの感度を小さくするようにスピーカ８およびマイク５を制御し、音声電話機能下での通常通話を行えるようにする（ステップＷ２）。
【０１０４】
次に、光センサ１９からの検出信号を基に明るさのレベルが所定値より大きくなっているか否か調べ、明るさのレベルが大きくなっていない場合（つまり、暗いとき）はステップＷ５に進み、明るさのレベルが大きくなっている場合（つまり、明るさが暗から明に変わっているとき）はステップＷ４に進む（ステップＷ３）。
【０１０５】
また、上記ステップＷ３で明るさのレベルが大きくなっていない場合は、ＣＰＵ１１はキー操作部７からの信号を調べ、終話操作（電源ボタン２２の短押し操作）がなされ場合は通話を終了させ、そうでない場合はステップＷ３に戻る（ステップＷ４）。
【０１０６】
上記ステップＷ３で明るさのレベルが大きくなっていた場合は、ＣＰＵ１１は姿勢検出部１３からの検出信号を調べ、携帯電話機１が横置きの場合は携帯電話機１が（テーブル等の上に）置かれているものとしてステップＷ７に進み（ステップＷ５）、携帯電話機１が横配置でない場合は拡声モードに切り替えてステップＷ１１に進む（ステップＷ６）。
【０１０７】
携帯電話機１が横配置でない場合は、ＣＰＵ１１はテレビ電話機能を選択し（ステップＷ７）、カメラ部１６、表示部６、およびバックライトをオンにして着信画像の表示および撮影画像の送信を開始すると共に（ステップＷ８）、スピーカ８の音量を大きくし、マイクの感度を大きくするようにスピーカ８およびマイク５を制御して拡声通話を開始させ（ステップＷ９）、電源ボタン２２が短時間（実施例では３秒未満）押されると通話を終了させる（ステップＷ１０）。
【０１０８】
上記ステップＷ１で通話モードが拡声モードの場合またはステップＷ１０で通話モードが拡声モードに切り替えられた場合は、ＣＰＵ１１はスピーカ８の音量を大きくし、マイクの感度を大きくするようにスピーカ８およびマイク５を制御して音声電話機能下で拡声通話を行わせる（ステップＷ１１）。
【０１０９】
次に、ＣＰＵ１１はキー操作部７からの信号を調べ、終話操作（電源ボタン２２の長押操作）がなされた場合は通話を終了させ、そうでない場合は音声電話機能下での拡声通話状態を継続しつつ終話操作を待つ（ステップＷ１２）。
【０１１０】
上記図１２のフローチャートに示した動作により、ステップＷ３で明るさのレベルを判定することにより音声通話中に携帯電話機１から耳を離したか否かを判定した上で、ステップＷ９で携帯電話機１の姿勢を基に携帯電話機１とユーザの位置関係を判定できることから、音声通話開始時に携帯電話機１の状態（明るさのレベルから導かれる携帯電話１とユーザの距離関係と、携帯電話機１の姿勢）に応じてテレビ電話機能での通話を行うか、音声電話機能下での拡声通話を行うかを自動選択して通話方法を切り替えることができるので、ボタン選択操作なしでユーザの希望する状態での通話に直ちに切り替えることができる。
【０１１１】
＜実施形態６＞  
図１３は、実施形態６に係わる携帯電話機の動作概要を示すフローチャートであり、このフローチャートは携帯電話機６０のコンピュータに、音声通話開始時に携帯電話機６０の状態（スピーカ音量のレベルや蓋開閉状態から導かれる携帯電話６０とユーザの距離関係）に応じてテレビ電話機能か音声電話機能の自動選択制御を含む動作を実現させるためのプログラムを説明するためのものである。  
以下に示す処理は基本的にＣＰＵ１１が予めプログラム格納メモリ１４に記憶されたプログラムに従って実行する例で説明するが、全ての機能をプログラム格納メモリ１４に格納する必要はなく、必要に応じて、その一部若しくは全部をネットワークを介して受信して実現するようにしてもよい。以下、図７、図８および図１３に基いて説明する。
【０１１２】
音声通話時に、ＣＰＵ１１は通話モードが拡声モードか否かを調べ、拡声モードの場合にはステップＸ１１に進み、そうでない場合はステップＸ２に進む（ステップＸ１）。
【０１１３】
通話モードが拡声モードでない場合は、ＣＰＵ１１はスピーカ８の音量を小さくし、マイクの感度を小さくするようにスピーカ８およびマイク５を制御し、音声電話機能下での通常通話を行えるようにする（ステップＸ２）。
【０１１４】
次に、音量センサ１８からの検出信号を基に入力音量のレベルが所定値より小さくなっているか否か調べ、入力音量のレベルが小さくなっていない場合（つまり、入力音量が低下していないとき）はステップＸ４に進み、入力音量が所定値より小さくなっている場合（つまり、入力音量が大から小に変わっているとき）はステップＸ５に進む（ステップＸ３）。
【０１１５】
上記ステップＸ３で入力音量のレベルが小さくなっていない場合は、ＣＰＵ１１はキー操作部７からの信号を調べ、終話操作（電源ボタン２２の短押し操作）がなされた場合は通話を終了させ、そうでない場合はステップＸ３に戻る（ステップＸ４）。
【０１１６】
上記ステップＸ３で入力音量のレベルが低下していた場合は、ＣＰＵ１１は開閉検出部３１からの検出信号を調べ、携帯電話機１が「開」状態の場合はステップＸ７に進み（ステップＸ５）、携帯電話機１が「開」状態でない場合（つまり、「閉」状態）の場合は拡声モードに切り替えてステップＸ１１に進む（ステップＸ６）。
【０１１７】
携帯電話機１が「開」状態の場合は、ＣＰＵ１１はテレビ電話機能を選択し（ステップＸ７）、カメラ部１６、表示部６、およびバックライトをオンにして着信画像の表示および撮影画像の送信を開始すると共に（ステップＸ８）、スピーカ８の音量を大きくし、マイクの感度を大きくするようにスピーカ８およびマイク５を制御して拡声通話を行わせる（ステップＸ９）、終話操作（電源ボタン２２の短押し操作）がなされると通話を終了する（ステップＸ１０）。
【０１１８】
上記ステップＸ１で通話モードが拡声モードの場合またはステップＸ１０で通話モードが拡声モードに切り替えられた場合は、ＣＰＵ１１はスピーカ８の音量を大きくし、マイクの感度を大きくするようにスピーカ８およびマイク５を制御して、音声電話機能下で拡声通話を行えるようにする（ステップＸ１１）。
【０１１９】
次に、ＣＰＵ１１はキー操作部７からの信号を調べ、終話操作（電源ボタン２２の短押し操作）がなされると通話を終了させ、そうでない場合は音声電話機能下での拡声通話状態を継続しつつ終話操作を待つ（ステップＸ１２）。
【０１２０】
上記図１３のフローチャートに示した動作により、ステップＸ３で通話時の入力音量のレベルを判定することにより音声通話中に携帯電話機６０からユーザが離れたか否かを判定した上で、ステップＸ９で携帯電話機６０の蓋の開閉状態を基に携帯電話機１とユーザの位置関係を判定できるので、音声通話開始時に携帯電話機６０の状態（入力音量のレベルや明るさのレベルから導かれる携帯電話１とユーザの距離関係と携帯電話機６０の開閉状態）に応じてテレビ電話機能での通話を行うか、音声電話機能での通話を行うかを自動選択して通話方法を切り替えることができるので、通話方法を選択するためのボタン選択操作等が不要となり、最適な通話方法による通話を行うことができる。
【０１２１】
なお、上記図１３に示したフローチャートの説明では実施形態３で例とした折り畳み式携帯電話機６０を例として説明したが、ステップＸ５、Ｘ６を「上記ステップＸ３で入力音量のレベルが低下していた場合は、ＣＰＵ１１はスライド検出部３０からの検出信号を調べ、携帯電話機１が「開」状態の場合はステップＸ７に進み（ステップＸ５）、携帯電話機５０が「開」状態でない場合（つまり、「閉」状態）の場合は拡声モードに切り替えてステップＸ１１に進む（ステップＸ６）。」とすれば上記実施形態２で例としたスライド式携帯電話機（携帯電話機５０（図４、図５参照）に適用できる。  
また、ステップＸ５、Ｘ６を「上記ステップＸ３で入力音量のレベルが低下していた場合は、ＣＰＵ１１は接続検出部３２からの検出信号を調べ、携帯電話機７０がクレードルに装着されている場合はステップＸ７に進み（ステップＸ５）、携帯電話機７０がクレードルに装着されていない場合拡声モードに切り替えてステップＸ１１に進む（ステップＸ６）。」とすれば上記実施形態４で例とした携帯電話機（携帯電話機７０（図１０参照）に適用できる。
【０１２２】
以上、本発明の各実施例について説明したが、本発明は上記実施形態そのままに限定されるものではなく、実施段階ではその主旨を逸脱しない範囲で構成要素を変形して具体化できる。また、上記実施形態に開示されている複数の構成要素の適宜な組み合わせにより種々の発明を形成できる。例えば、実施形態に示されている全構成要素の中からいくつかの構成要素を削除してもよい。
【０１２３】
また、上記実施形態において記載した手法は、コンピュータに実行させることのできるプログラムとして、例えば、フラッシュメモリやハードディスク、あるいは着脱可能なメモリカード等の記録媒体に書き込んで各種装置に適用したり、そのプログラム自体をネットワーク等の伝送媒体により伝送して各装置に適用することも可能である。各種装置のコンピュータは記録媒体に記録されたプログラムあるいは伝送媒体を介して提供されたプログラムを読み込み、このプログラムによって動作が制御されることにより、各処理を実行して本手法を実現する。
【図面の簡単な説明】
【０１２４】
【図１】本発明の実施の形態を適用可能な携帯端末装置の一実施例の外観を示す図である。
【図２】実施形態１に係わる携帯電話機の内部構成を示すブロック図である。
【図３】実施形態１に係わる携帯電話機の動作概要を示すフローチャートである。
【図４】本発明の実施の形態を適用可能な携帯端末装置の一実施例の外観を示す図である。
【図５】実施形態２に係わる携帯電話機の内部構成を示すブロック図である。
【図６】実施形態２に係わる携帯電話機の動作概要を示すフローチャートである。
【図７】本発明の実施の形態を適用可能な携帯端末装置の一実施例の外観を示す図である。
【図８】実施形態３に係わる携帯電話機の内部構成を示すブロック図である。
【図９】実施形態３に係わる携帯電話機の動作概要を示すフローチャートである。
【図１０】実施形態４に係わる携帯電話機の内部構成を示すブロック図である。
【図１１】実施形態４に係わる携帯電話機の動作概要を示すフローチャートである。
【図１２】実施形態５に係わる携帯電話機の動作概要を示すフローチャートである。
【図１３】実施形態６に係わる携帯電話機の動作概要を示すフローチャートである。
【符号の説明】
【０１２５】
１、７０  携帯電話機（携帯端末装置）
５  マイク
７  キー操作部（通話開始指示操作手段）
８  スピーカ
１１  ＣＰＵ（電話機能選択手段、通話制御手段）
１２  通信制御部
１３  姿勢検出部（状態検出手段、姿勢検出手段）
１８  音量センサ（関係検出手段）
１９  光センサ（関係検出手段）３０  スライド検出部（状態検出手段、開閉検出手段）
３１  開閉検出部（状態検出手段、開閉検出手段）
３２  接続検出部（状態検出手段、接続検出手段）
５０  スライド式携帯電話機（携帯端末装置）
６０  折り畳み式携帯電話機（携帯端末装置）
【図１】
0004449869.tif 000002
【図２】
0004449869.tif 000003
【図３】
0004449869.tif 000004
【図４】
0004449869.tif 000005
【図５】
0004449869.tif 000006
【図６】
0004449869.tif 000007
【図７】
0004449869.tif 000008
【図８】
0004449869.tif 000009
【図９】
0004449869.tif 000010
【図１０】
0004449869.tif 000011
【図１１】
0004449869.tif 000012
【図１２】
0004449869.tif 000013
【図１３】
0004449869.tif 000014